(57)【要約】【課題】リピートフィールドの誤検出発生を低減することができる。【解決手段】ヒストグラム算出部２は、入力される２つのフィールド画像から各フィールド画像のヒストグラムをそれぞれ算出する。このヒストグラムは、例えば横軸を階調数、縦軸を画素数とするヒストグラムである。演算部３は、ヒストグラム算出部２により算出された各ヒストグラムの階調毎の差分値を取り、その差分値が予め設定された閾値より大きい値を示す階調の数を数える。判定部４は、演算部３により演算された階調の数が予め設定された設定数より小さいとき、フィールド画像の一方が、他方に対してリピートフィールドであると判定する。この判定結果は、例えば外部に出力され、他の回路にて参照される。【選択図】図１
2008154169.tif 000002
【特許請求の範囲】
【請求項１】
リピートフィールドを判定する信号処理回路において、
入力される２つのフィールド画像から前記各フィールド画像のヒストグラムをそれぞれ算出するヒストグラム算出部と、
前記ヒストグラム算出部により算出された前記各ヒストグラムの階調毎の差分値を取り、その差分値が予め設定された閾値より大きい値もしくは小さい値を示す階調の数を数える演算部と、
前記演算部により数えられた前記階調の数を予め設定された設定数と比較することにより、前記各フィールド画像の一方が、他方に対してリピートフィールドであると判定する判定部と、
を有することを特徴とする信号処理回路。
【請求項２】
前記２つのフィールド画像は、それぞれｎ番目の前記フィールド画像および（ｎ−２）番目の前記フィールド画像であることを特徴とする請求項１記載の信号処理回路。
【請求項３】
前記閾値は、第１の閾値と、前記第１の閾値より大きい第２の閾値とを有し、
前記演算部は、前記第１の閾値より大きい値を示す階調の数と、前記第２の閾値より大きい値を示す階調の数とをそれぞれ数え、
前記判定部は、前記演算部により数えられた前記第１の閾値より大きい値を示す階調の数が予め設定された設定数より小さく、かつ、前記第２の閾値より大きい値を示す階調の数が０のとき、前記各フィールド画像の一方が、他方に対してリピートフィールドであると判定することを特徴とする請求項１記載の信号処理回路。
【請求項４】
リピートフィールドを判定する信号処理装置において、
入力される２つのフィールド画像から前記各フィールド画像のヒストグラムをそれぞれ算出するヒストグラム算出部と、前記ヒストグラム算出部により算出された前記各ヒストグラムの階調毎の差分値を取り、その差分値が予め設定された閾値より大きい値を示す階調の数を数える演算部と、前記演算部により数えられた前記階調の数が予め設定された設定数より小さいとき、前記各フィールド画像の一方が、他方に対してリピートフィールドであると判定する判定部と、を有する信号処理部と、
前記信号処理部の判定結果に応じて入力される２枚のフィールド画像を組み合わせて１枚のフレーム画像を作成するプルダウン用ＩＰ変換部と、
を有することを特徴とする信号処理装置。
【請求項５】
２つの前記フィールド画像のうちの少なくとも１つのフィールド画像を格納する格納部と、
ｎ番目の前記フィールド画像および（ｎ−２）番目の前記フィールド画像から動きベクトルを算出して１枚のフレーム画像を作成する動き補償型ＩＰ変換部と、
入力される前記フィールド画像がリピートフィールドである場合に、前記プルダウン用ＩＰ変換部で組み合わせる２枚の前記フィールド画像を選択する画像選択部と、
前記信号処理部の判定結果に応じて前記動き補償型ＩＰ変換部と、前記プルダウン用ＩＰ変換部の出力を選択する選択信号を出力する選択信号出力部と、
前記動き補償型ＩＰ変換部から出力される前記フレーム画像と、前記プルダウン用ＩＰ変換部から出力される前記フレーム画像とをそれぞれ格納し、前記選択信号に応じていずれか一方の前記フレーム画像を出力する選択部と、をさらに有することを特徴とする請求項４記載の信号処理装置。
【発明の詳細な説明】
【技術分野】
【０００１】
本発明は信号処理回路および信号処理装置に関し、特に、リピートフィールドを判定する信号処理回路および信号処理装置に関する。
【背景技術】
【０００２】
近年、アナログのブラウン管テレビに代わり、液晶テレビが市場に登場している。
ブラウン管テレビと液晶テレビとは、画像の表示方法が異なり、ブラウン管テレビでは、実際の走査線がインタレースで表示されているインタレース方式が採用されているのに対し、液晶テレビでは、プログレッシブ方式（ノンインタレース方式）が採用されている。インタレース方式で放送された映像を液晶テレビで見るには、インタレース方式をプログレッシブ方式に変換する、いわゆるＩＰ変換を行う必要がある。
【０００３】
液晶テレビに入力されるインタレース画像は、撮影時に６０Ｉ（６０フィールドのインタレース）形式で生成された画像や、いわゆる２：３プルダウン変換（テレビシネマ変換）された画像等がある。６０Ｉ形式で撮影された画像は、通常の動き補償型や動き適応型のＩＰ変換を行う。
【０００４】
図８は、２：３プルダウン変換を説明する図である。
一方、２：３プルダウン変換では、フィルム素材（図８中Ｆｒａｍｅ０、Ｆｒａｍｅ１、Ｆｒａｍｅ２、・・・）の１コマ目を２フィールド、２コマ目を３フィールド、３コマ目を２フィールド、４コマ目を３フィールドのように、以降２４コマ目まで２−３−２−３を繰り返すことにより６０フィールドの画像（ビデオ／テレビジョン素材）を作り出している。このようにして変換された画像は、リピートフィールドが挿入されているため、入力順番と撮影時の時間順番が異なり、通常の動き補償型や動き適応型のＩＰ変換を行った場合、アーティファクトが発生する。そのため、２：３プルダウン画像であることを検出し、適切に処理する必要がある。この検出を行うために種々の方法が考えられている（例えば、特許文献１、２参照）。
【特許文献１】特開平９−５５８７９号公報
【特許文献２】特開平１０−３１３４４０号公報
【発明の開示】
【発明が解決しようとする課題】
【０００５】
しかしながら、特許文献１、２等に記載の技術は、入力された画素そのものに対して、差分を算出しているため、伝送路で混入するノイズの影響をうけ、リピートフィールドでない画像を誤ってリピートフィールドであると検出する可能性がある。より詳しくは、画素差分が閾値を超える画素数を数えていることから、「ノイズにより画素差分」と「画像中物体の微小な移動による画素差分」とを混同し、誤検出する可能性がある。
【０００６】
本発明はこのような点に鑑みてなされたものであり、リピートフィールドの誤検出発生を低減することができる信号処理回路および信号処理装置を提供することを目的とする。
【課題を解決するための手段】
【０００７】
本発明では上記問題を解決するために、リピートフィールドを判定する信号処理回路において、入力される２つのフィールド画像から前記各フィールド画像のヒストグラムをそれぞれ算出するヒストグラム算出部と、前記ヒストグラム算出部により算出された前記各ヒストグラムの階調毎の差分値を取り、その差分値が予め設定された閾値より大きい値もしくは小さい値を示す階調の数を数える演算部と、前記演算部により数えられた前記階調の数を予め設定された設定数と比較することにより、前記各フィールド画像の一方が、他方に対してリピートフィールドであると判定する判定部とを有することを特徴とする信号処理回路が提供される。
【０００８】
このような信号処理回路によれば、ヒストグラム算出部により、入力される２つのフィールド画像のヒストグラムがそれぞれ算出される。演算部により、ヒストグラム算出部によって算出された各ヒストグラムの階調毎の差分値が取られ、その差分値が予め設定された閾値より大きい値もしくは小さい値を示す階調の数が数えられる。判定部により、演算部によって数えられた階調の数が予め設定された設定数と比較されることにより、各フィールド画像の一方が、他方に対してリピートフィールドであると判定される。
【発明の効果】
【０００９】
本発明によれば、演算部が、算出された各ヒストグラムを階調毎に比較し、予め設定された閾値より大きい値もしくは小さい値を示す階調の数を数え、判定部が、演算部により演算された階調の数を予め設定された設定数と比較することにより、各フィールド画像の一方が、他方に対してリピートフィールドであると判定するようにしたので、ノイズによる誤検出を低減することができる。これにより、リピートフィールドを確実に検出することができる。
【発明を実施するための最良の形態】
【００１０】
以下、本発明の実施の形態を、図面を参照して詳細に説明する。
まず、本発明の概要について説明し、その後、実施の形態を説明する。
図１は、本発明の概要を示す図である。本発明の信号処理回路１は、ヒストグラム算出部２と、演算部３と、判定部４とを有している。
【００１１】
ヒストグラム算出部２は、入力される２つのフィールド画像から各フィールド画像のヒストグラムをそれぞれ算出する。このヒストグラムは、例えば横軸を階調数、縦軸を画素数とするヒストグラムである。
【００１２】
演算部３は、ヒストグラム算出部２により算出された各ヒストグラムの階調毎の差分値を取り、その差分値が予め設定された閾値より大きい値もしくは小さい値を示す階調の数を数える。
【００１３】
判定部４は、演算部３により演算された階調の数を予め設定された設定数と比較することにより、フィールド画像の一方が、他方に対してリピートフィールドであると判定する。この判定結果は、例えば外部に出力され、他の回路にて参照される。これにより、例えば予め設定された閾値より大きい値を示す階調の数を数え、判定部が、演算部により演算された階調の数が予め設定された設定数より小さいとき、各フィールド画像の一方が、他方に対してリピートフィールドであると判定することにより、ノイズによる誤検出を低減することができる。これにより、リピートフィールドを確実に検出することができる。
【００１４】
以下、本発明の実施の形態を説明する。
図２は、実施の形態の信号処理装置を示すブロック図である。
信号処理装置１００は、入力部１１０と、動き補償型ＩＰ変換部１２０と、プルダウン用ＩＰ変換部１３０と、選択部１４０と、リピートフィールド判定部（信号処理回路）１５０と、変換方法判定部１６０と、メモリ（ＳＤＲＡＭ）１７０とを有している。なお、入力部１１０〜変換方法判定部１６０の機能は、ＣＰＵ（Central Processing Unit）により実現することができる。
【００１５】
入力部１１０は、入力信号（インタレース形式（６０フィールド／秒））を受け付ける。
動き補償型ＩＰ変換部１２０は、フィールド画像であるＦｉｅｌｄ（ｎ−１）に対して、Ｆｉｅｌｄ（ｎ−２)、Ｆｉｅｌｄ（ｎ）から動きベクトルを算出してＩＰ変換を行い、１枚のＦｒａｍｅを作成する。ここで、Ｆｉｅｌｄ（ｎ）（図２中、Ｆ（ｎ））は、最近入力されたフィールド画像を意味し、Ｆｉｅｌｄ（ｎ−１）（図２中、Ｆ（ｎ−１））はＦｉｅｌｄ（ｎ）の１つ前に入力されたフィールド画像を意味し、Ｆｉｅｌｄ（ｎ−２）（図２中、Ｆ（ｎ−２））はＦｉｅｌｄ（ｎ）の２つ前に入力されたフィールド画像を意味する。
【００１６】
プルダウン用ＩＰ変換部１３０は、変換方法判定部１６０から指定される２枚のフィールド画像を単純に重ね合わせ（組み合わせ）、１枚のＦｒａｍｅを作成する。
選択部１４０は、動き補償型ＩＰ変換部１２０にて作成されたＦｒａｍｅと、プルダウン用ＩＰ変換部１３０にて作成されたＦｒａｍｅとをそれぞれ保持する。
【００１７】
リピートフィールド判定部１５０は、入力されるＦｉｅｌｄ（ｎ）がリピートフィールドであるか否かを判定する。
変換方法判定部１６０は、選択部１４０に入力される動き補償型ＩＰ変換部１２０が作成したＦｒａｍｅとプルダウン用ＩＰ変換部１３０が作成したＦｒａｍｅのいずれを選択部１４０から出力させるかを選択する。また、プルダウン用ＩＰ変換部１３０で組み合わせる２枚のフィールド画像を選択する。すなわち、Ｆｉｅｌｄ（ｎ）、Ｆｉｅｌｄ（ｎ−１）、Ｆｉｅｌｄ（ｎ−２）の３枚から２枚選択する。
【００１８】
メモリ１７０は、過去２枚のＦｉｅｌｄ（ｎ−１）、Ｆｉｅｌｄ（ｎ−２）を保存する。これらの画像は、入力部１１０が入力信号を受け取る毎に上書きされる。
図３は、リピートフィールド判定部の構成を示すブロック図である。
【００１９】
リピートフィールド判定部１５０は、ヒストグラム算出部１５１ａ、１５１ｂと、ＲＡＭ１５２ａ、１５２ｂと、ヒストグラム差分判定部１５３とを有している。
ヒストグラム算出部１５１ａは、入力されるＦｉｅｌｄ（ｎ）のヒストグラムを算出し、算出結果をＲＡＭ１５２ａに格納する。
【００２０】
ヒストグラム算出部１５１ａは、ヒストグラム算出部１５１ａにＦｉｅｌｄ（ｎ）が入力されると、メモリ１７０からＦｉｅｌｄ（ｎ−２）を取り出し、取り出したＦｉｅｌｄ（ｎ−２）のヒストグラムを算出し、算出結果をＲＡＭ１５２ａに格納する。
【００２１】
ヒストグラム差分判定部１５３は、ＲＡＭ１５２ａおよびＲＡＭ１５２ｂにそれぞれ格納されている算出結果を取り出し、ヒストグラムの差分を判定する。そして判定した結果を変換方法判定部１６０に出力する。
【００２２】
次に、信号処理装置１００の動作について、説明する。
図４は、信号処理装置の動作を示すフローチャートである。
信号処理装置１００によれば、入力部１１０に入力信号が入力されると（ステップＳ１１）、その入力信号がメモリ１７０に格納されるとともに、動き補償型ＩＰ変換部１２０、プルダウン用ＩＰ変換部１３０およびリピートフィールド判定部１５０に入力される。
【００２３】
これにより、動き補償型ＩＰ変換部１２０にてＦｒａｍｅが作成される。
そして、リピートフィールド判定部１５０により、入力信号がリピートフィールドであるか否かが判定される（ステップＳ１２）。この判定処理については後述する。
【００２４】
リピートフィールド判定部１５０の判定結果に応じて変換方法判定部１６０により、プルダウン用ＩＰ変換を行うか、動き補償型ＩＰ変換を行うかが判定される。
入力信号がリピートフィールドではない場合（ステップＳ１２のＮｏ）、変換方法判定部１６０により、動き補償型ＩＰ変換部１２０から出力されたＦｒａｍｅを選択する選択信号が、選択部１４０に送られる（ステップＳ１３）。
【００２５】
一方、入力信号がリピートフィールドの場合（ステップＳ１２のＹｅｓ）、変換方法判定部１６０により、プルダウン用ＩＰ変換部１３０にて組み合わせるフィールド画像が選択され（ステップＳ１４）、プルダウン用ＩＰ変換部１３０に出力される（ステップＳ１５）。そして、変換方法判定部１６０により、プルダウン用ＩＰ変換部１３０から出力されたＦｒａｍｅを選択する選択信号が、選択部１４０に送られる（ステップＳ１６）。
【００２６】
選択部１４０によって選択信号が受け取られると、選択されたＦｒａｍｅが出力信号（プログレッシブ形式（６０フレーム／秒）として出力される（ステップＳ１７）。
以上で信号処理装置１００の動作を終了する。
【００２７】
次に、リピートフィールド判定部１５０の判定処理（リピートフィールド判定処理）について説明する。
図５は、リピートフィールド判定処理を示すフローチャートである。
【００２８】
まず、入力されるＦｉｅｌｄ（ｎ）とメモリ１７０から得られるＦｉｅｌｄ（ｎ−２）とからヒストグラムを算出する（ステップＳ２１）。
図６は、各フィールド画像からそれぞれ算出したヒストグラムの例を示す図であり、図６（ａ）は、Ｆｉｅｌｄ（ｎ）のヒストグラムを示す図であり、図６（ｂ）は、Ｆｉｅｌｄ（ｎ−２）のヒストグラムを示す図である。
【００２９】
次に、Ｃｎｔ＿ｈｉｓｔＡ、Ｃｎｔ＿ｈｉｓｔＢを算出する（ステップＳ２２）。
この算出は、次のように行う。
まず、２つのヒストグラムを階調毎に比較し、階調毎の差分値（絶対値）を求める。
【００３０】
次に、それらの差分値を、予め設定された閾値ＴｈＡとそれぞれ比較し、閾値ＴｈＡより値が大きい差分値の階調の数を求める。求めた階調の数をＣｎｔ＿ｈｉｓｔＡとする。
次に、予め設定された閾値ＴｈＢ（＞閾値ＴｈＡ）より値が大きい差分値の階調の数を求める。求めた階調の数をＣｎｔ＿ｈｉｓｔＢとする。ここで、閾値ＴｈＢは、閾値ＴｈＡに比べ十分に大きい値を設定するのが好ましい。
【００３１】
次に、前ステップで算出したＣｎｔ＿ｈｉｓｔＡとＣｎｔ＿ｈｉｓｔＢとを用いてリピートフィールドであるか否かを判定する（ステップＳ２３）。
詳しくは、予め設定されたＴｈ＿Ｃｎｔ＿ｈｉｓｔに対し、Ｃｎｔ＿ｈｉｓｔＡ＜Ｔｈ＿Ｃｎｔ＿ｈｉｓｔＡであり、かつ、Ｃｎｔ＿ｈｉｓｔＢ＝０の場合（ステップＳ２３のＹｅｓ）、Ｆｉｅｌｄ（ｎ）はリピートフィールドであると判定する（ステップＳ２４）。
【００３２】
一方、ステップＳ２４の条件を満たさない場合（ステップＳ２３のＮｏ）、リピートフィールドではないと判定する（ステップＳ２５）。
以上でリピートフィールド判定処理を終了する。なお、閾値ＴｈＢ、閾値ＴｈＡ、Ｔｈ＿Ｃｎｔ＿ｈｉｓｔＡが増加するにつれて、リピートフィールドであると判定され易くなる。
【００３３】
＜Ｃｎｔ＿ｈｉｓｔＡ＜Ｔｈ＿Ｃｎｔ＿ｈｉｓｔＡとした理由について＞
Ｃｎｔ＿ｈｉｓｔＡ＜Ｔｈ＿Ｃｎｔ＿ｈｉｓｔＡを要件とすることにより、例えば、２：３プルダウン変換後に入力部１１０に入力される過程において、ある要因（ノイズ等）でその一部が微妙に変化した入力信号に対しても（実質的に同一の信号についても）リピートフィールドであると判定することができる。
【００３４】
＜Ｃｎｔ＿ｈｉｓｔＢ＝０とした理由について＞
図７は、リピートフィールドか否かを説明する図であり、図７（ａ）は、Ｆｉｅｌｄ（ｎ）のヒストグラムを示す図であり、図７（ｂ）は、図７（ａ）のＦｉｅｌｄ（ｎ）に対し微小な移動がある画像についてのヒストグラムの例を示す図である。
【００３５】
ノイズによって変化する画素値（ノイズ量）にはランダム性がある。画像にノイズが混入した場合、ヒストグラムに変化があっても、特定の階調のみが、著しく変化することは、そのランダム性から発生し難い。一方、微小な移動がある場合は、移動している物体についての輝度値を含む階調のみが変化する。よって、本実施の形態では、Ｃｎｔ＿ｈｉｓｔＢ＝０を要件とし、これを、満たさないＦｉｅｌｄ（移動している物体についての輝度値を含む階調のみが変化しているＦｉｅｌｄ）についてはリピートフィールドではなく画像中物体の微小な移動による画素差分であると判断する。
【００３６】
このように、本実施の形態の信号処理装置１００によれば、ヒストグラムを用いてリピートフィールドか否か判定するようにしたので、従来の方法に比べ、ノイズによる画素差分と画像中物体の微小な移動による画素差分との違いによる誤検出の影響を低減することができる。
【００３７】
なお、本実施の形態では、Ｃｎｔ＿ｈｉｓｔＡ＜Ｔｈ＿Ｃｎｔ＿ｈｉｓｔＡであり、かつ、Ｃｎｔ＿ｈｉｓｔＢ＝０の場合、Ｆｉｅｌｄ（ｎ）はリピートフィールドであると判定したが、本発明は、これに限らず、例えばＣｎｔ＿ｈｉｓｔＡ＜Ｔｈ＿Ｃｎｔ＿ｈｉｓｔＡの場合にＦｉｅｌｄ（ｎ）はリピートフィールドであると判定してもよい。
【００３８】
また、本実施の形態では、得られた差分値を、閾値ＴｈＡとそれぞれ比較し、閾値ＴｈＡより値が大きい差分値の階調の数を求め、求めた階調の数をＣｎｔ＿ｈｉｓｔＡとしたが、本発明は、これに限らず、閾値ＴｈＡより値が小さい差分値の階調の数を求め、求めた階調の数をＣｎｔ＿ｈｉｓｔＣとし、Ｃｎｔ＿ｈｉｓｔＣ＞Ｔｈ＿Ｃｎｔ＿ｈｉｓｔＡの場合にＦｉｅｌｄ（ｎ）はリピートフィールドであると判定してもよい。
【００３９】
また、閾値ＴｈＢ、閾値ＴｈＡ、Ｔｈ＿Ｃｎｔ＿ｈｉｓｔＡの値は、本装置の前段にあたる装置の特性や、画像性質（ＤＶＤ（Digital Versatile Disc）、地上波、映画）によって適宜選択するのが好ましい。具体的には、信号処理装置１００の運用時は、閾値として設定する値について、信号処理装置１００の前段に設置する装置（前段装置）と入力画像とを本装置に対して適応した上で、適切な値を設定することが望ましい。
【００４０】
また、前段装置が複数存在する場合は、入力装置毎に、閾値を切り替えることが望ましい。同様に画像特性毎に、閾値を切り替えることが望ましい。
以上、本発明の信号処理回路、信号処理方法、信号処理プログラム、および信号処理装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００４１】
また、本発明は、前述した実施の形態のうちの、任意の２以上の構成（特徴）を組み合わせたものであってもよい。
なお、上記の処理機能は、コンピュータによって実現することができる。その場合、主としてリピートフィールド判定部１５０が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等が挙げられる。磁気記録装置としては、例えば、ハードディスク装置（ＨＤＤ）、フレキシブルディスク（ＦＤ）、磁気テープ等が挙げられる。光ディスクとしては、例えば、ＤＶＤ、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等が挙げられる。光磁気記録媒体としては、例えば、ＭＯ（Magneto-Optical disk）等が挙げられる。
【００４２】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００４３】
信号処理プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【００４４】
（付記１）  リピートフィールドを判定する信号処理回路において、
入力される２つのフィールド画像から前記各フィールド画像のヒストグラムをそれぞれ算出するヒストグラム算出部と、
前記ヒストグラム算出部により算出された前記各ヒストグラムの階調毎の差分値を取り、その差分値が予め設定された閾値より大きい値もしくは小さい値を示す階調の数を数える演算部と、
前記演算部により数えられた前記階調の数を予め設定された設定数と比較することにより、前記各フィールド画像の一方が、他方に対してリピートフィールドであると判定する判定部と、
を有することを特徴とする信号処理回路。
【００４５】
（付記２）  前記２つのフィールド画像は、それぞれｎ番目の前記フィールド画像および（ｎ−２）番目の前記フィールド画像であることを特徴とする付記１記載の信号処理回路。
【００４６】
（付記３）  前記（ｎ−２）番目の前記フィールド画像は、前記フィールド画像を格納する画像格納部から入力されることを特徴とする付記２記載の信号処理回路。
（付記４）  前記閾値は、第１の閾値と、前記第１の閾値より大きい第２の閾値とを有し、
前記演算部は、前記第１の閾値より大きい値を示す階調の数と、前記第２の閾値より大きい値を示す階調の数とをそれぞれ数え、
前記判定部は、前記演算部により数えられた前記第１の閾値より大きい値を示す階調の数が予め設定された設定数より小さく、かつ、前記第２の閾値より大きい値を示す階調の数が０のとき、前記各フィールド画像の一方が、他方に対してリピートフィールドであると判定することを特徴とする付記１記載の信号処理回路。
【００４７】
（付記５）  リピートフィールドを判定する処理をコンピュータに行わせる信号処理方法において、
ヒストグラム算出手段が、入力される２つのフィールド画像から前記各フィールド画像のヒストグラムをそれぞれ算出し、
演算手段が、前記ヒストグラム算出手段により算出された前記各ヒストグラムの階調毎の差分値を取り、その差分値が予め設定された閾値より大きい値を示す階調の数を数え、
判定手段が、前記演算手段により数えられた前記階調の数が予め設定された設定数より小さいとき、前記各フィールド画像の一方が、他方に対してリピートフィールドであると判定する、
ことを特徴とする信号処理方法。
【００４８】
（付記６）  リピートフィールドを判定する信号処理プログラムにおいて、
コンピュータを、
入力される２つのフィールド画像から前記各フィールド画像のヒストグラムをそれぞれ算出するヒストグラム算出手段、
前記ヒストグラム算出手段により算出された前記各ヒストグラムの階調毎の差分値を取り、その差分値が予め設定された閾値より大きい値を示す階調の数を数える演算手段、
前記演算手段により数えられた前記階調の数が予め設定された設定数より小さいとき、前記各フィールド画像の一方が、他方に対してリピートフィールドであると判定する判定手段、
として機能させることを特徴とする信号処理プログラム。
【００４９】
（付記７）  リピートフィールドを判定する信号処理装置において、
入力される２つのフィールド画像から前記各フィールド画像のヒストグラムをそれぞれ算出するヒストグラム算出部と、前記ヒストグラム算出部により算出された前記各ヒストグラムの階調毎の差分値を取り、その差分値が予め設定された閾値より大きい値を示す階調の数を数える演算部と、前記演算部により数えられた前記階調の数が予め設定された設定数より小さいとき、前記各フィールド画像の一方が、他方に対してリピートフィールドであると判定する判定部と、を有する信号処理部と、
前記信号処理部の判定結果に応じて入力される２枚のフィールド画像を組み合わせて１枚のフレーム画像を作成するプルダウン用ＩＰ変換部と、
を有することを特徴とする信号処理装置。
【００５０】
（付記８）  ２つの前記フィールド画像のうちの少なくとも１つのフィールド画像を格納する格納部と、
ｎ番目の前記フィールド画像および（ｎ−２）番目の前記フィールド画像から動きベクトルを算出して１枚のフレーム画像を作成する動き補償型ＩＰ変換部と、
入力される前記フィールド画像がリピートフィールドである場合に、前記プルダウン用ＩＰ変換部で組み合わせる２枚の前記フィールド画像を選択する画像選択部と、
前記信号処理部の判定結果に応じて前記動き補償型ＩＰ変換部と、前記プルダウン用ＩＰ変換部の出力を選択する選択信号を出力する選択信号出力部と、
前記動き補償型ＩＰ変換部から出力される前記フレーム画像と、前記プルダウン用ＩＰ変換部から出力される前記フレーム画像とをそれぞれ格納し、前記選択信号に応じていずれか一方の前記フレーム画像を出力する選択部と、をさらに有することを特徴とする付記７記載の信号処理装置。
【００５１】
（付記９）  前記ＩＰ変換方法判定部が前記画像選択部を兼ねることを特徴とする付記７記載の信号処理装置。
【図面の簡単な説明】
【００５２】
【図１】本発明の概要を示す図である。
【図２】実施の形態の信号処理装置を示すブロック図である。
【図３】リピートフィールド判定部の構成を示すブロック図である。
【図４】信号処理装置の動作を示すフローチャートである。
【図５】リピートフィールド判定処理を示すフローチャートである。
【図６】各フィールド画像からそれぞれ算出したヒストグラムの例を示す図である。
【図７】リピートフィールドか否かを説明する図である。
【図８】２：３プルダウン変換を説明する図である。
【符号の説明】
【００５３】
１  信号処理回路
２  ヒストグラム算出部
３  演算部
４  判定部
１００  信号処理装置
１１０  入力部
１２０  動き補償型ＩＰ変換部
１３０  プルダウン用ＩＰ変換部
１４０  選択部
１５０  リピートフィールド判定部（信号処理回路）
１５１ａ、１５１ｂ  ヒストグラム算出部
１５２ａ、１５２ｂ  ＲＡＭ
１５３  ヒストグラム差分判定部
１６０  変換方法判定部
１７０  メモリ
【図１】
2008154169.tif 000003
【図２】
2008154169.tif 000004
【図３】
2008154169.tif 000005
【図４】
2008154169.tif 000006
【図５】
2008154169.tif 000007
【図６】
2008154169.tif 000008
【図７】
2008154169.tif 000009
【図８】
2008154169.tif 000010